(57)【要約】【課題】キャップの開閉をせずに、ペン先のインク乾き現象を防止する出没式筆記具を提供すること。【解決手段】ペン先出没孔が形成された中空型の主管と、ノック部と、前記ノック部と一体的に結合されたカートリッジと、Ｏリング部、球形ドア、管状のホルダー、第１ヒンジ部、および第２ヒンジ部を含む開閉モジュールと、前記主管の内部に挿設され、前記開閉モジュールと前記カートリッジとの間で弾性反発力を作用するように結合されたスプリングと、を含んで構成される。【選択図】図１
2008195054.tif 000002
【特許請求の範囲】
【請求項１】
インク乾き現象を防止するための開閉手段を有する筆記具において、
ペン先出没孔１１が形成された中空型の主管１０と、
前記主管１０の他側挿入孔１４に挿入されるノック部３０と、
前記ペン先出没孔１１の軸心と一致するように前記主管１０に挿入され、前記ノック部３０と一体的に結合されたカートリッジ４０と、
ゴムタイプの弾性材質から形成され、前記ペン先出没孔１１と密着して面接触するＯリング部１１０、ペン先４１を外部から遮断させるための球面１２１を備えた球形ドア１２０、前記カートリッジ４０と結合される管状のホルダー１３０、前記Ｏリング部１１０と前記球形ドア１２０を連結する第１ヒンジ部１１３、および前記球形ドア１２０と前記ホルダー１３０を互いに一体的に連結する第２ヒンジ部１３５を含む開閉モジュール１００と、
前記主管１０の内部に挿設され、前記開閉モジュール１００と前記カートリッジ４０との間で弾性反発力を作用するように結合されたスプリングと、を含んでなり、
前記ノック部３０を押すと、ノック部３０とカートリッジ４０に連動して球形ドア１２０が回転角だけ回転しながら主管１０のペン先出没孔１１を開放させることで、ペン先４１が球形ドア１２０の貫通路を通じてペン先出没孔１１の外部に突出するように構成されることを特徴とする、
乾き防止装置を備えた出没式筆記具。
【請求項２】
前記球形ドア１２０の球面１２１は半球形状を有し、前記球面１２１の反対側は開放した貫通路１２５が形成され、筆記具の作動の時、カートリッジが前記貫通路１２５を通じて出没することを特徴とする、請求項１に記載の乾き防止装置を備えた出没式筆記具。
【請求項３】
前記球形ドア１２０の両側面には、球面１２１から一体型に突出した尖塔型の連結部１２３が形成され、前記ホルダー１３０には、その上端口両側から垂直に伸びる尖塔型の連結部１３４が結合され、前記連結部１２３と前記連結部１３４は第２ヒンジ部１３５を介して連結されることにより、前記球形ドア１２０が回動可能になることを特徴とする、請求項２に記載の乾き防止装置を備えた出没式筆記具。
【請求項４】
前記ホルダー１３０の下端口１３１の内側には段差部が形成され、前記カートリッジ４０の外周面には連結部４６が突設され、前記カートリッジ４０は前記ホルダー１３０と噛み合っていることを特徴とする、請求項１に記載の乾き防止装置を備えた出没式筆記具。
【請求項５】
前記スプリングは、
前記主管１０と前記カートリッジ４０との間に介在され、これらを互いに押し出す第１スプリング６０と、
前記カートリッジ４０と前記開閉モジュール１００との間に介在され、前記ノック部を押すことによる前記カートリッジ４０の前進により、前記カートリッジ４０と前記開閉モジュールを互いに押し出す第２スプリング６５と、を含んでなることを特徴とする、請求項１に記載の乾き防止装置を備えた出没式筆記具。
【請求項６】
前記ホルダー１３０は、その軸方向に発生する押圧力から管部形態を維持するため、管部のまわりに一定間隔で形成された複数の円形帯のリブ１３３をさらに含むことを特徴とする、請求項１に記載の乾き防止装置を備えた出没式筆記具。
【請求項７】
前記Ｏリング部１１０は、前記ペン先出没孔１１の内側に密着するＯリング１１１と前記Ｏリング１１１の一側から垂直に伸びる垂直バー１１２とを含み、前記垂直バー１１２と前記球形ドア１２０は前記第１ヒンジ部１１３を介して連結されることにより、前記球形ドア１２０がＯリング部１１０に対して回転可能であることを特徴とする、請求項１に記載の乾き防止装置を備えた出没式筆記具。
【請求項８】
前記球形ドアの回転時に発生する球形ドアとホルダー上端口１３２間の摩擦をなくすため、前記第２ヒンジ部１３５は球形ドア１２０の球面中心点１２９から所定距離だけ外れた位置に形成されることを特徴とする、請求項７に記載の乾き防止装置を備えた出没式筆記具。
【発明の詳細な説明】
【技術分野】
【０００１】
本発明は筆記具に係り、より詳しくは筆記具のペン芯からインクが流出するペン先（ｎｉｂ）を筆記具の使用の時にだけ突出させ、非使用の時には気密な状態でペン先を筆記具の内部に没入させるようにする乾き防止装置を備えた出没式筆記具に関するものである。
【背景技術】
【０００２】
一般に、筆記具は、大別し、ペン芯が固定されており、キャップ（ｃａｐ）を使用する固定式と、主管の一部を回転させることで、螺旋状溝に沿って芯の一部が突出するようにする回転式（繰出式）と、主管の一部を押し込むことで、スプリングの弾性力を克服してペン芯を突出させるノック式と、ペン芯をスライドさせて突没させる出没式とがある。
出没式筆記具は、別のキャップを開けたり閉じたりする不便さなしに使用可能な利点があるが、ペン先が出没するペン先出没孔が筆記具の一端に単純に穿設されているため、油性インクなどの如く非揮発性または揮発性の低い筆記具にだけ限定的に適用可能な欠点がある。
【０００３】
一方、揮発性の高いマーカーペン、あるいはファイトペン、水性ペン、蛍光ペンなどは、キャップを開閉する不便さはもちろんのこと、ペン先が空気中に長期間露出したままで放置される場合、ペン先のインクなどが枯渇して筆記具の寿命を短縮させるか毀損させることができる。
故に、多くの出願らは、液状または半液状のインク、あるいは揮発性または非揮発性インクを使用する筆記具において、インクの乾燥を防止するとともにペン先を保護することができる特別な技術に対する多くの研究に努力を注いでいる。
【０００４】
ペン先の乾き防止と保護のための従来技術としては、‘チップ保護具を備えた出没式筆記具’がある（特許文献1参照）。これは、ペン先に乾き防止のためのチップ保護具を具備して、商品の流通過程中にペン先を密閉することで、インク乾きを防止するための技術である。
しかし、前記特許文献1の技術は、使用中にチップ保護具を廃棄しなければならないから、乾き防止の機能を失ってしまし、主にボールペン形態の筆記具に限定して適用される。
【０００５】
また、さらに他の従来技術としては、‘ペン先の乾き防止装置’がある（特許文献２参照）。これは、出没式筆記具の押圧部を押せば、ペン先がゴムパッキングの切開スリットを通過し露出して、ペンの使用を可能にし、押圧部を解除またはさらに押し込むことによりペン先が元の位置に戻ると、ゴムの弾性により切開スリットが密閉することにより、インク乾きの防止機能をするものである。
しかし、この方式は、ひんぱんな使用により切開スリットが塑性変形するおそれがあり、スライドする反対側の押圧部の密閉が困って、密閉効率が落ちる欠点がある。
【０００６】
また、さらに他の従来技術としては、‘分離できない弾性体キャップを備えた筆記具’がある（特許文献３参照）。これは、ペン先が貫通するように切開スリットをペン先の方向に形成し、反対方向の筆記具のガイド溝に密着した形を有する弾性体キャップを備え、キャップの後進の際、ペン先が露出して筆記可能な状態になり、キャップの前進の際、インク乾き防止状態になり、中間部位は筆記具の本体形状と同じ形状を維持するものである。
しかし、前記特許文献３のペン先も、切開スリットを通じて出没するため、ペン先のインクが切開スリットに付いて出ることができるとともに、弾性変形が予想されるゴムリングのような補助具で切開スリットを圧搾させる方式を採択しているから、ペン先が切開スリットに直接接触してペン先を破損させるおそれがあり、耐久性が相対的に落ちる欠点がある。また、切開スリットの周りにゴムリングが外部に露出しているから、外部物体との接触などにより、ゴムリングが毀損するだけでなく、ひんぱんな使用の時に切開スリットの変形が発生して気密性が落ちるおそれがある。
【０００７】
【特許文献１】大韓民国実用新案登録第１７２４８６号明細書
【特許文献２】大韓民国実用新案登録第１７４２７９号明細書
【特許文献３】大韓民国特許出願第２０００-６５６９３号明細書
【発明の開示】
【発明が解決しようとする課題】
【０００８】
したがって、本発明の目的は、前述した問題点を解決するために、直接電動式（ｄｉｒｅｃｔ ｔｒａｎｓｍｉｓｓｉｏｎ ｔｙｐｅ）で速かに開閉する乾き防止装置により、ペン芯の端部であるペン先が非接触式で出没しながらも気密維持機能をなすことができ、別のキャップなどを使用しなくてもペン先でのインク乾き現象をあらかじめ防止することができるとともに、物理的にペン先を安全に保護することができ、使用の簡便な乾き防止装置を備えた出没式筆記具を提供することにある。
また、本発明の他の目的は、リンク部、球形ドア部、ホルダーおよびＯリングの別個の部品から構成される通常の開閉手段を開閉モジュールと一体型に成形して装着した乾き防止装置を備えた出没式筆記具を提供することにある。
【課題を解決するための手段】
【０００９】
前述したような目的は、インク乾き現象を防止するための開閉手段を有する筆記具において、ペン先出没孔が形成された中空型の主管と、前記主管の他側挿入孔に挿入されるノック部と、前記ペン先出没孔の軸心と一致するように前記主管に挿入され、前記ノック部と一体的に結合されたカートリッジと、ゴムタイプの弾性材質から形成され、前記ペン先出没孔と密着して面接触するＯリング部、ペン先を外部から遮断させるための球面を備えた球形ドア、前記カートリッジと結合される管状のホルダー、前記Ｏリング部と前記球形ドアを連結する第１ヒンジ部、および前記球形ドアと前記ホルダーを互いに一体的に連結する第２ヒンジ部を含む開閉モジュールと、前記主管の内部に挿設され、前記開閉モジュールと前記カートリッジとの間で弾性反発力を作用するように結合されたスプリングと、を含んでなり、前記ノック部を押すと、ノック部とカートリッジに連動して球形ドアが回転角だけ回転しながら主管のペン先出没孔を開放させることで、ペン先が球形ドアの貫通路を通じてペン先出没孔の外部に突出するように構成される、乾き防止装置を備えた出没式筆記具により達成される。
【発明の効果】
【００１０】
本発明の乾き防止装置を備えた出没式筆記具は、別のキャップを開けたり閉じたりする不便さなしに使用することができる利点とともに、ペン先の出没によって主管のペン先出没孔を開けるか閉じることができるので、インク乾き現象を防止することができる利点がある。
【００１１】
また、本発明の乾き防止装置を備えた出没式筆記具は、開閉モジュールが一体的に形成されて、組立てが簡単で付属品の生産費節減ができるので、消費者に広く普及可能な市場性を持っている。
【００１２】
また、本発明の乾き防止装置を備えた出没式筆記具は、球形ドアとホルダーにより、ペン先を保管する主管の内部空間を気密に密閉することで、インク寿命を相対的に増加させて製品性能を極大化させることができる利点がある。
【００１３】
そして、本発明の乾き防止装置を備えた出没式筆記具は、使用者が片手で本体ケースにあたる主管を握り、指でスイッチを操作して、ペン先の出没を制御することができるので、使用が非常に便利な利点がある。
【発明を実施するための最良の形態】
【００１４】
以下、添付図面の図１〜図１６を参照して本発明の好ましい実施例による乾き防止装置を備えた出没式筆記具について詳細に説明する。
【００１５】
図１は本発明の一実施例による乾き防止装置を備えた出没式筆記具の外形を説明するための分解斜視図、図２〜図４は本発明の乾き防止装置を備えた出没式筆記具の開閉モジュールの前方斜視図である。
また、図５〜図７は本発明の乾き防止装置を備えた出没式筆記具の開閉モジュールの後方斜視図、図８は前記開閉モジュールの断面図である。
なお、図９は前記開閉モジュールの球形ドアの回転中心点を示す断面図、図１０および図１１は前記開閉モジュールの作動断面図、図１２〜図１６はノック部の押し込みによるペン先の出没による開閉モジュールの作動状態を簡略に説明するための断面図である。
【００１６】
本発明の筆記具は、単一本体ケースまたは両分可能な本体ケースのいずれか一つにあたる主管１０を有する筆記具であって、特に下記に詳細に説明する直接電動式で速かに開閉する乾き防止装置を主管１０の内部に備えている。
本発明において、直接電動式とは、主管１０のペン先出没孔１１が乾き防止装置の球形ドア１２０によって気密に密閉されているが、使用者のノック部（ｋｎｏｃｋ  ｐａｒｔ）３０を押圧力が直接伝達されて球形ドア１２０を動作させる方式をいう。
【００１７】
また、前記主管１０は、コーン状の一端にペン先出没孔１１が形成され、他端にノック部３０が結合されている。
すなわち、使用者は、本発明の筆記具の主管１０を片手で握った後、母指などで筆記具上端の押圧部にあたるノック部３０を押すとき、ノック部３０と一体的に形成されているカートリッジによって連動する球形ドア１２０は開放方向に回転角１２０°だけ回転しながら貫通路１２５をペン先４１の軸方向と一致させて、主管１０のペン先出没孔１１を開放させる。
その後、ペン先４１は球形ドア１２０の貫通路１２５を通じてペン先出没孔１１の外部に突出されて使用可能な状態になる。
【００１８】
これと反対に、使用者がノック部３０をもう一度押す場合、内装の第１および第２スプリングにより、前記突出したペン先４１が元の位置に戻り、つまり主管１０の内部に没入することになる。その後、第１および第２スプリングにより、前記球形ドア１２０は閉塞方向に回転角１２０゜だけ回転しながら貫通路をペン先４１の軸方向に対して垂直に回転させて、主管１０のペン先出没孔１１を閉塞させる。
【００１９】
まず、図１を参照すれば、本発明による乾き防止装置を備えた出没式筆記具は、主管１０、カートリッジ４０、第１スプリング６０、第２スプリング６５、および開閉モジュール１００の総５個の部品からなる。これは、従来技術において１０個以上の部品を使用したものに比べて相対的に少ない部品数を有し、組立てが容易である特徴を本発明に付与する。
【００２０】
このような本発明において、主管１０は、単一本体ケースまたは両分可能な本体ケースのいずれか一つであって、ゴム、シリコン、軟質のプラスチック素材のいずれか１種の材質から、射出成形、またはモールド成形の方式で製作可能である。
また、主管１０は、プラスチック素材の一般的な特性、つまり弾性、可撓性、伸縮性のいずれか一つを持っている。
ここで、前記主管１０の一側には、カートリッジ４０のペン先４１が挿入可能な大きさのペン先出没孔１１が軸心方向に沿って貫設され、主管１０の他側には、カートリッジ４０の本体が挿入可能な大きさのカートリッジ挿入孔１４が形成されている。
【００２１】
また、主管１０の他側外周面には、多様な形式に設計された出没動作制御部１３が一体型に形成され、あるいは器具的に結合されている。このような出没動作制御部１３は、当該結合部位４７との結合関係によって、ペン先４１の突出または没入によって停止動作を行うように、連動可能に構成されることが望ましい。
【００２２】
すなわち、前記ノック部３０を継続して押すことにより、カートリッジのペン先４１がペン先出没孔１１を貫通して前進した状態で、ノック部３０を放しても、前記カートリッジと本体との間に介設されている第１スプリングの復元力によりペン先を含むカートリッジが後退しないようにするため、前記当該結合部位４７と動作制御部１３が噛み合うように結合される。このような結合によりペン先が突出したままで固定されている状態で、ノック部３０を押せば、前記結合関係が解除されるので、ノック部３０を放す瞬間、第１スプリングの復元力によってカートリッジが後退してペン先が没入することになるものである。
【００２３】
また、主管１０は、ペン先出没孔１１がコーン状の一端に形成され、ノック部３０を含む下記の構成要素が挿合できるほどの内径大きさを有する挿入孔１４が他端に形成されている。外形から見て、ノック部３０は挿入孔１４に結合される一体型になる。
図１を参照すれば、ノック部３０は使用者の押圧力をカートリッジ４０に伝達する役目をする。このノック部３０は、小口径外周面と大口径外周面を有するチューブ状のもので、小口径側一端が開口され、大口径側他端が密閉されている。
【００２４】
また、本発明において、カートリッジ４０は、インクタンクの容量に対応する有限時間の間にペン先４１を通じてインクを均一で連続的に放出させることができる大容量タンク部を持っている。
ここで、カートリッジ４０の一側にはペン先４１が配設され、このペン先４１は、ペン先延長軸４５の一端結合孔を通じてインクを受けることができるように、固定されている。
【００２５】
このペン先延長軸４５は、インク供給のため、中空の断面円形チューブ形状を有するもので、タンク部の直径より相対的に小さな直径を持っている。
【００２６】
また、ペン先延長軸４５の端部には、タンク部から、通常のインク供給方式（例えば、毛細管現象、圧力差、吸入など）によって、インク、あるいはタンク部に保管されている内容物を当該筆記具の種類に応じて受けることができるように、ペン先４１が固定できる。
ペン先４１は、筆記具の種類によって、油性または水性インク用チップ、ホワイト液排出用チップ、蛍光ペン用チップ、マーカーペン用チップなどが使用され、それぞれのチップに対応するインク供給方式が適用できることはもちろんである。
前記カートリッジ４０は前記出没動作制御部１３と連動し、通常のペン芯型筆記具に使用される通常の出没メカニズムが当該結合部位４７に形成できる。
【００２７】
また、カートリッジ４０は前記出没動作制御部１３と連動し、本発明者により出願された安全ノック式筆記具の低騷音ペン芯出没メカニズム（２００３年大韓民国特許出願第５５４１４号、同第５６９４０号）に開示された安全ノック方式と類似あるいは同一の出没メカニズムが当該結合部位４７に形成できる。
【００２８】
このようなカートリッジ４０は、主管１０のカートリッジ挿入孔１４を通じて結合された後、使用者が出没動作制御部１３を操作するとき、前述したような出没メカニズムによりペン先４１が主管１０のペン先出没孔１１で突出または没入するように、軸心方向に沿って有限なストローク範囲内で往復移動させることができ、ストロークの両端で一時停止動作を行うことができる。
【００２９】
前記本体の内部に挿入されるスプリングは、第１スプリング６０および第２スプリング６５からなる。
前記第１スプリング６０は、その端部が前記カートリッジ４０の段差部４４の下端と当接するようにする。
【００３０】
その後、第１スプリング６０は、作動の際、カートリッジ４０のストローク距離内で、主管１０あるいはカートリッジ４０のいずれかを軸方向に押し出す役目を担当する。
例えば、カートリッジ４０とノック部３０が前進方向に所定ストローク距離だけ前進する場合、第１スプリング６０は圧縮状態になる。これにより、第１スプリング６０は圧縮状態から伸張状態に復元しようとする弾性反発力を発生させる。
本発明において、カートリッジ４０のストローク距離はノック部３０のストローク距離と同一である。
【００３１】
また、第２スプリング６５は前記カートリッジ４０のペン先延長軸４５に外挿され、前記第２スプリング６５の端部は前記段差部４４の上端と当接することになる。すなわち、挿入された第２スプリング６５は段差部４４とペン先延長軸４５間の断層面に支持される。
ここで、第２スプリング６５は、作動の際、開閉モジュール１００またはカートリッジ４０のいずれかを軸方向に押し出す役目を担当する。
例えば、カートリッジ４０とノック部３０が前進方向に前進するとき、第２スプリング６５は短時間圧縮された状態で開閉モジュール１００を加圧することにより、結局、開閉モジュール１００に回転可能に形成された球形ドア１２０を滑らかで速かに開閉するようにする。
【００３２】
図２〜図７の斜視図は、前記開閉モジュール１００をより詳細に示す。
前記開閉モジュール１００はゴムタイプの弾性材質で射出成形されていて、反復的な撓みによっても易しく疲労しなくて耐久性の向上を期待することができ、後述する球形ドアがホルダーの入口ともっと密着して面接触触することができるので、インク乾き防止効果を一層極大化することができる。
【００３３】
また、前記開閉モジュール１００は、Ｏリング部１１０、球形ドア１２０、およびホルダー１３０が一体的に成形されてなる。
前記Ｏリング部１１０のＯリング１１１は、前記主管１０のペン先出没孔１１と面接触状態で密着して固定されるリング型のパッキングである。
前記Ｏリング１１１は、後述する球形ドア１２０と一体的に成形された後、球形ドアの開閉のために分離される部分（球形ドアの上端とＯリングの下端との間）を切開することにより、分離される。
【００３４】
前記Ｏリング１１０の垂直バー１１２は、前記Ｏリング１１１の一側下端から垂直に伸びた形態の支持部である。
【００３５】
前記球形ドア１２０は、前記ホルダー１３０の従動節のような役目を担当することにより、結果的にペン先出没孔１１を開閉させるドアの役目を担当する。
このため、球形ドア１２０は、およそ半球形状を有する球面１２１を形成している。
また、前記球形ドア１２０の球面１２１の反対側は開放した貫通路１２５が形成されて、筆記具の作動時、カートリッジが出没する通路を提供する。
【００３６】
また、前記球形ドア１２０は、前記球面１２１から伸びる尖塔型連結部１２３を持っている。
【００３７】
前記ホルダー１３０は、前記カートリッジ４０と結着するように組立てられる部分である。
すなわち、前記ホルダー１３０の下端口１３１の段差部が連結部４６の段差部にかかることにより、前記カートリッジ４０が前記ホルダー１３０の他端から離脱しないようにする。
【００３８】
また、前記ホルダー１３０の上端口１３２は、前記球形ドア１２０の球面１２１と密着して接触するように、前記球形ドア１２０の直径よりは小さくて前記カートリッジ４０の直径よりは大きな直径を有する。
特に、成形製作の過程で、前記ホルダー１３０の上端口１３２の内部に挿入されるコアの直径は前記球形ドア１２０の貫通路に挿入されるコアの直径より小さなものであり、このように成形製作された前記上端口１３２の端部には分割線が形成されていない。これにより、ホルダーの上端口１３２と球形ドア１２０間の密着力を高めて、ペン先の水密性を一層確かにすることができる。
【００３９】
また、望ましくは、前記上端口１３２の内側を取り囲むようにゴムパッキングを介在することにより、前記球面１２１との密着度を高めることも可能である。
【００４０】
また、図８から分かるように、前記ホルダー１３０にはリブ１３３を形成することが望ましい。この際、前記リブ１３３はゴム材質から形成され、撓みやすいか折られやすい前記ホルダー１３０の管部を堅くするために、管部のまわりに一定間隔で形成されている複数の円形帯である。
【００４１】
また、前記ホルダー１３０上端部の両側から尖塔形態の連結部１３４が伸び、その端部が前記球形ドア１２０の連結部１２３端部と合う。
第２ヒンジ部１３５は前記連結部１３４と前記連結部１２３が合う部分であり、前記第２ヒンジ部１３５により、前記連結部１３４を軸として前記連結部１２３が回転することになる。
すなわち、前記連結部１３４は、前記上端口１３２の左右側からそれぞれ同じ形状に突設した三角形の部分であり、その端部は尖塔型に収斂して、前記球形ドア１２０の連結部１２３と連結される第２ヒンジ部１３５を形成している。
また、前記連結部１３４と前記球形ドア１２０は一体型に成形された後、前記球形ドア１２０の回転のための分離部分のために、第２ヒンジ部１３５を除く部位に切開作業が行われる。
【００４２】
ここで、前記第２ヒンジ部１３５の空間的位置は、図９に示すように、球形ドア１２０の球面中心点１２９から少し外れた位置（図では、上下に０．５ｍｍ離脱）に形成され、回転中心となるようにする。
これは、ヒンジ部が球面中心点１２９に位置する場合、回転時に発生する球形ドアとホルダー上端口１３２間の摩擦をなくすためである。
また、第１ヒンジ部１１３は、前記Ｏリング１１１の一端から突出した垂直バー１１２の端部と前記球形ドア１２０の下端の両端部を互いに連結する連結部材であり、前記Ｏリング部１１０に対して前記球形ドア１２０がヒンジ作用するようにする。
このため、前記第１ヒンジ部１１３は弧状帯の形態になっていることが望ましい。前記弧状帯上には、前記垂直バー１１２端部と前記球形ドア１２０下端が一体的に形成されている。
【００４３】
全体として前記開閉モジュール１００の連結関係をまとめると、前記Ｏリング１１１が垂直バー１１２に連結され、前記垂直バー１１２が第１ヒンジ部１１３を介して球形ドア１２０に連結され、前記球形ドア１２０が前記第２ヒンジ部１３５を介して前記連結部１３４に連結され、前記連結部１３４がホルダー１３０の上端口１３２に連結されている一体型の開閉モジュール１００を形成することになる。
【００４４】
また、前記開閉モジュール１００の作動関係を説明すれば、図１０に示すように、前記ホルダー１３０を引っぱると、図１１に示すように、前記球形ドア１２０が回転し、第２ヒンジ部１３５と前記第１ヒンジ部１１３が回転することになる。
【００４５】
図１２〜図１６は最初ストロークの開始位置から球形ドア１２０がペン先出没孔１１を開放させるためにノック部を作動する過程を示す。すなわち、球形ドア１２０の貫通路はカートリッジ４０の軸方向に垂直な方向に配向されている。
後述する説明において、前進方向と後進方向は、それぞれペン先出没孔１１側への方向とノック部３０側への方向を意味する。
【００４６】
特に、図１２の閉塞状態は図１の付属品の結合による組立状態でもある。
同図に示すように、前記ペン先４１はホルダー１３０に取り囲まれた状態である。
前記カートリッジ４０の連結部４６の下端段差部は、前記ホルダー１３０の下端口１３１にかかっているので、図示の状態では、前記ホルダー１３０から前記カートリッジ４０が後退することができなくなっている。
【００４７】
さらに、前記連結部４６の下端の段差部は前記下端口１３１を密閉するようにかかっているので、前記ペン先４１のインク蒸発を最小化することができる。
前記Ｏリング１１１は前記ペン先出没孔１１と密着して面接触しているので、分離できない。
第１スプリング６０は前記主管１０と前記カートリッジ４０との間に介設されて、前記主管１０と前記カートリッジ４０を互いに押し出す作用をする。
したがって、カートリッジ４０のペン先４１は前記第１スプリング６０の弾性力により後退することになり、これと同時に、前記連結部４６にかかっている前記ホルダー１３０の下端口１３１がともに後退することになる。
【００４８】
しかし、前記Ｏリング１１１は前記ペン先出没孔１１に固着して位置するので、前記ホルダー１３０の後退により第１ヒンジ部１１３および第２ヒンジ部１３５が折り曲げられ、球形ドア１２０が１２０°回転して前記ホルダー１３０の上端口１３２を塞ぐことになる。
この際、前記第２スプリング６５はなんの弾性力も発生しない状態でホルダー１３０と段差部４４との間に介在されている。
【００４９】
このような組立状態で、図１３に示すように、ノック部３０を前進させると、ホルダー１３０、ノック部３０およびカートリッジ４０が前進方向に所定ストローク距離（例えば、５ｍｍ）だけ移動することになる。
この場合は、第１スプリング６０が前記と同様な状況であるが、前記移動割合に応じてちょっと増加した弾性力をカートリッジ４０に作用させるとともに、第２スプリング６５が、カートリッジ４０の前進移動によって伝達された力を弾性反発力の形でホルダー１３０に伝達する。
【００５０】
これにより、ホルダー１３０は前記所定ストローク距離だけ前進し、第１ヒンジ部１１３が球形ドア１２０の連結端部からヒンジ回転するとともに、前記第２ヒンジ部１３５の折り曲げが前記移動割合に応じて広がることになる。
また、前記ホルダー１３０の前進割合に応じた回転角だけ球形ドア１２０を回転させることになる。
【００５１】
図１４に示すように、図１３に続いてノック部３０を２０ｍｍさらに前進させると、前記第２スプリング６５によりカートリッジ４０から前記ホルダー１３０を押し出す力が継続して作用して前記ホルダー１３０が前進し、前記ホルダー１３０の前進により、前記第１ヒンジ部１１３と第２ヒンジ部１３５を中心に前記球形ドア１２０をさらに一層回転させることになる。
【００５２】
このように、ホルダー１３０の前進と、これによる球形ドア１２０の回転が継続して進むと、図１５に示すように、ペン先４１がペン先出没孔１１を通過して外部に突出することができる通路が形成される。
この際、前記球形ドア１２０は１２０°回転して、球面１２１が主管１０の内壁と向かい合う状態になり、前記第２ヒンジ部１３５の折り曲げ状態は原状に復帰して平たい状態になる。
【００５３】
これにより、球形ドア１２０の貫通路はカートリッジ４０の軸方向と一致して開放されている。なお、貫通路の内部には、前記前進したホルダー１３０、ペン先４１およびＯリング１１１が位置することになる。
この際、カートリッジ４０のペン先４１の端部またはその周囲面は球形ドア１２０の貫通路内に非接触状態で位置しているので、ペン先４１のインクが球形ドア１２０の内部面のいずれにも付かなくなり、ペン先出没孔１１の内側に位置するペン先４１の端部が肉眼で見られる。
【００５４】
このような状態で、図１６に示すように、ノック部３０にさらに力を加えて押すと、全ストローク距離を前進方向に移動した状態であるので、第１および第２スプリング６０、６５はそれ以上弾性変形が起こらない範囲内で圧縮された状態であるので、弾性反発力を最大限発生させることができる状態である。
この状態で、使用者は本発明の筆記具を使用することができることになる。
【００５５】
一方、使用者は、必要に応じて、スイッチ解除操作によって、突出した状態のペン先４１を主管１０の内部に没入させることができる。
この場合、図１６の状態から図１２の状態に作動して、結局、ペン先出没孔１１を球形ドア１２０で閉塞させ、ペン先４１を主管１０の内部に安全で気密に収納することができる。
すなわち、前記弾性反発力の分だけ、第１および第２スプリング６０、６５が軸方向に伸びるとともに開閉モジュール１００のうち、ホルダー１３０、ノック部３０およびカートリッジ４０を後進させることになる。
【００５６】
その後、続くカートリッジ４０の後進により、前記カートリッジ連結部４６の段差部がホルダー１３０の下端口１３１にかかって後進方向に引っぱることになる。
この場合、第１ヒンジ部と第２ヒンジ部を中心に球形ドア１２０が回転角１２０°だけ回転し、このように回転した球形ドア１２０はペン先出没孔１１を気密に密閉させる。
以上、本発明の乾き防止装置を備えた出没式筆記具についての技術思想を添付図面に基づいて説明したが、これは本発明の最良の実施例を例示的に表したもので、本発明を限定するものではない。また、この技術分野の通常の知識を持った者であれば、誰も本発明の技術思想の範疇を逸脱しない範囲内で多様な変形および模倣が可能であろう。
【００５７】
本発明は、筆記具のペン芯からインクが流出するペン先（ｎｉｂ）を筆記具の使用の時にだけ突出させ、非使用の時には気密な状態でペン先を筆記具の内部に没入せるようにする乾き防止装置を備えた出没式筆記具に適用可能である。
【図面の簡単な説明】
【００５８】
【図１】本発明の一実施例による乾き防止装置を備えた出没式筆記具の外形を示す分解斜視図である。
【図２】本発明の乾き防止装置を備えた出没式筆記具の開閉モジュールの前方斜視図である。
【図３】本発明の乾き防止装置を備えた出没式筆記具の開閉モジュールの前方斜視図である。
【図４】本発明の乾き防止装置を備えた出没式筆記具の開閉モジュールの前方斜視図である。
【図５】本発明の乾き防止装置を備えた出没式筆記具の開閉モジュールの後方斜視図である。
【図６】本発明の乾き防止装置を備えた出没式筆記具の開閉モジュールの後方斜視図である。
【図７】本発明の乾き防止装置を備えた出没式筆記具の開閉モジュールの後方斜視図である。
【図８】前記開閉モジュールの断面図である。
【図９】前記開閉モジュールの球形ドアの回転中心点を示す断面図である。
【図１０】前記開閉モジュールの作動状態を示す断面図である。
【図１１】前記開閉モジュールの作動状態を示す断面図である。
【図１２】ノック部の押す動作によるペン先の出没による開閉モジュールの作動状態を概略的に示す断面図である。
【図１３】ノック部の押す動作によるペン先の出没による開閉モジュールの作動状態を概略的に示す断面図である。
【図１４】ノック部の押す動作によるペン先の出没による開閉モジュールの作動状態を概略的に示す断面図である。
【図１５】ノック部の押す動作によるペン先の出没による開閉モジュールの作動状態を概略的に示す断面図である。
【図１６】ノック部の押す動作によるペン先の出没による開閉モジュールの作動状態を概略的に示す断面図である。
【符号の説明】
【００５９】
１０    主管
１１    ペン先出没孔
１３    動作制御部
１４    挿入孔
３０    ノック部
４０    カートリッジ
４１    ペン先
４４    段差部
４５    ペン先延長軸
４７    結合部
６０    第１スプリング
６５    第２スプリング
１００    開閉モジュール
１１０    Ｏリング部
１１１    Ｏリング
１１２    垂直バー
１１３    第１ヒンジ部
１２０    球形ドア
１２１    球面
１２３    尖塔型連結部
１２５    貫通路
１３０    ホルダー
１３１    下端口
１３２    上端口
１３３    リブ
１３４    連結部
１３５    第１ヒンジ部
【図１】
2008195054.tif 000003
【図２】
2008195054.tif 000004
【図３】
2008195054.tif 000005
【図４】
2008195054.tif 000006
【図５】
2008195054.tif 000007
【図６】
2008195054.tif 000008
【図７】
2008195054.tif 000009
【図８】
2008195054.tif 000010
【図９】
2008195054.tif 000011
【図１０】
2008195054.tif 000012
【図１１】
2008195054.tif 000013
【図１２】
2008195054.tif 000014
【図１３】
2008195054.tif 000015
【図１４】
2008195054.tif 000016
【図１５】
2008195054.tif 000017
【図１６】
2008195054.tif 000018